(57)【特許請求の範囲】
【請求項１】
その内部に所定量のパチンコ玉を貯蔵し得る複数の島台が配列された遊技場で使用されるパチンコ玉を循環せしめる玉循環機構において、
前記複数の島台に設置される遊技機において獲得した景品玉を返却する複数の玉返却装置を遊技場の一箇所に集約して設けた玉返却装置ユニットと、
該玉返却装置ユニットと前記複数の島台の各々とを補給路を介して選択的に接続する補給路ユニットと、
前記複数の島台の各々の保有玉数と、予め前記複数の島台の各々に設定された初期設定基準玉数とに基づいて保有玉率を算出し、前記複数の島台ごとに算出された前記保有玉率に基づいて前記玉返却装置ユニットからいずれかの島台への玉の返却優先順位を決定し、その決定に従って前記補給路ユニットの接続動作を選択的に制御する玉返却制御手段と、
からなることを特徴とする遊技場における玉循環機構。
【請求項２】
前記玉返却制御手段は、前記複数の島台における前記玉保有率の平均である平均保有玉率を算出し、前記補給路ユニットの接続動作が選択されて玉が返却されている島台の前記保有玉率が前記平均保有玉率に達するまで前記補給路ユニットの接続動作を制御することを特徴とする請求項１記載の遊技場における玉循環機構。
【発明の詳細な説明】
【０００１】
【産業上の利用分野】
本発明は、その内部に所定量のパチンコ玉を貯蔵し得る複数の島台が配列された遊技場で使用されるパチンコ玉を循環せしめる玉循環機構に関するものである。
【０００２】
【従来の技術】
従来、遊技場における玉の循環機構は、島台と独立した位置であって遊技場の一箇所（いわゆる景品交換場）に設けられた玉返却装置に返却された景品玉が、一箇所に集約された後、任意の１つ又は２つの島台に返却され、その後その１つ又は２つの島台から他の島台に返却される方式、又は、一箇所に集約された後、すべての島台に均等に返却される方式、のいずれかが採用されていた。前者の方式にあっては、返却された玉が末端の島台に到達するまでに時間がかかるため、緊急に多量の玉が必要となった状況（島台に設置されるパチンコ機のうち複数のパチンコ機でほぼ同時に大当りとなった場合）に対応できないという欠点があり、後者の方式にあっては、島台内の残留量の多寡に関係なくすべての島台に均等に返却されるため、返却玉量が少ない状況のときに特に玉を必要とする島台に対して選択的に補給するということができない欠点があった。
【０００３】
そこで、上記したような従来の循環方式の欠点を補うために、近年においては、島台の端部又は中央部に玉返却装置を付設し、遊技客によって獲得された景品玉をその獲得した島台に直接返却できるようにしたものが提案されている。このような玉返却装置付き島台においては、遊技客が必ずしも景品玉を獲得した島台に返却するとは限らず、隣接する島台の玉返却装置に返却する場合もあるので、島台内の貯留量が偏在するという現象が生じ、貯留量が満杯となった島台に付設される玉返却装置の使用を禁止させて返却を行おうとしている遊技客に対して他の島台に付設される玉返却装置に返却するように誘導していた。
【０００４】
【発明が解決しようとする課題】
このため、遊技客が自島の玉返却装置に獲得した景品玉を返却しようとしても、玉返却装置の使用が禁止されているときには、他の島台に付設される玉返却装置のある場所まで重い玉箱を抱えて移動しなければならず、遊技客に対するサービスの向上を図る点で問題があった。また、島台内の貯留量も遊技客の玉返却状況に依存しているため、トラブルのないように貯留玉量を管理することはできないという問題もあった。本発明は、上記した事情に鑑みなされたもので、その目的とするところは、遊技客に対するサービスの向上を図ることができると共に、複数の島台の貯留玉量を管理することができる遊技場における玉循環機構を提供することにある。
【０００５】
【課題を解決するための手段】
上記した目的を達成するために、本発明においては、
その内部に所定量のパチンコ玉を貯蔵し得る複数の島台が配列された遊技場で使用されるパチンコ玉を循環せしめる玉循環機構において、
前記複数の島台に設置される遊技機において獲得した景品玉を返却する複数の玉返却装置を遊技場の一箇所に集約して設けた玉返却装置ユニットと、
該玉返却装置ユニットと前記複数の島台の各々とを補給路を介して選択的に接続する補給路ユニットと、
前記複数の島台の各々の保有玉数と、予め前記複数の島台の各々に設定された初期設定基準玉数とに基づいて保有玉率を算出し、前記複数の島台ごとに算出された前記保有玉率に基づいて前記玉返却装置ユニットからいずれかの島台への玉の返却優先順位を決定し、その決定に従って前記補給路ユニットの接続動作を選択的に制御する玉返却制御手段と、
からなることを特徴とするものである。
【０００６】
そして、玉返却制御手段による玉の返却制御は、複数の島台における玉保有率の平均である平均保有玉率を算出し、補給路ユニットの接続動作が選択されて玉が返却されている島台の保有玉率が平均保有玉率に達するまで補給路ユニットの接続動作を制御するように制御される。
【０００７】
【０００８】
【作用】
遊技客は、獲得した景品玉を遊技場の一箇所に集約して設けられる玉返却装置ユニットのいずれかの玉返却装置に返却する。返却された玉は、玉返却制御手段によって選択される玉の返却優先順位の高い島台に対する補給路に返却される。このように、本発明においては、複数の玉返却装置が遊技場の一箇所に玉返却装置ユニットとして設けられているので、その場所まで景品玉の入っている玉箱を運搬するという手間はあるが、玉返却装置ユニットに返却された玉は、常に返却優先順位の高い島台に対して順次補給されているので、玉返却装置ユニット内が返却された景品玉によって満杯となることはなく、常時玉返却装置を使用可能な状態としておくことができ、玉返却装置ユニットの場所まで運搬された景品玉の返却動作を確実に行うことができ、遊技客に対するサービスの向上を図ることができる。また、返却優先順位が島台の保有玉率によって判断されるため、島台に設置される機種を考慮しながら玉が必要とされる島台の貯留量を優先的に満たすように制御されることとなり、貯留量不足や過剰な貯留量に基づく営業中のトラブルを防止することができる。更に、島台における初期設定基準玉数を島台に設置される機種毎に設定し得るので、遊技場全体の玉量を最低必要限度に設定してもスムーズな玉循環を確実に行うことができ、結果的に遊技場全体での保有玉量を少なくすることができる。
【０００９】
【実施例】
以下、図面を参照して、本発明の実施例について説明する。図１乃至図５は、第１実施例に係る玉返却装置ユニット４に関し、図１は、玉返却装置ユニット４と遊技場１に設置される複数の島台２との関係を示す概略斜視図であり、図２は、玉返却装置ユニット４と島台２とを結ぶ補給路７の形態が図１と相違する実施例を示す玉返却装置ユニット４と島台２との関係を示す概略斜視図であり、図３は、玉返却装置ユニット４の内部構造を示す概略斜視図であり、図４は、同じく玉返却装置ユニット４の内部構造を示す概略斜視図であり、図５は、補給路ユニット１２の構造を示す概略斜視図である。図１において、遊技場１には、複数の島台２（各島台を特定する必要があるときには、２ａ〜２ｈという符号を使用する）が設置され、その島台２には、多数のパチンコ機３が背向列設されている。ところで、図示の島台２は、８列の島台２ａ〜２ｈが示され、平行状に列設された４列ずつの島台２ａ〜２ｄと島台２ｅ〜２ｈとが所定の大きな間隔を置いて２列に配置されており、その大きな間隔部分に玉返却装置ユニット４が配置されている。つまり、玉返却装置ユニット４は、遊技場１のほぼ中央であって、すべての島台２ａ〜２ｈから最も近い位置となる箇所に設けられているものである。
【００１０】
上記した玉返却装置ユニット４は、複数の玉返却装置５が集約して設けられているものである。玉返却装置５は、周知のように遊技客が獲得した景品玉を返却することにより、その返却玉数を計数すると共に返却した玉数の全部又は一部（景品個数の倍数に相当する数であり、その数と返却数との差数は余り玉として玉を直接返却する）を印字した記録媒体（レシート又は磁気カード等）を発行するものであり、遊技客は、その記録媒体を遊技場の一角に設けられる景品交換場８で所望の景品と交換するものである。また、玉返却装置５に返却された景品玉は、一旦集められた後、次に説明する補給路７（各補給路を特定する必要があるときには、７ａ〜７ｈという符号を使用する）を介して前記した各島台２に選択的に返却されるが、その選択返却動作は、遊技場１に設置される管理コンピュータ（図示しない）によって行われる。これについては、後に詳述する。
【００１１】
また、玉返却装置ユニット４は、島台２が設置されている遊技場１の床面９よりも高く設けられる返却装置ユニット用フロアー６に設置されているが、これは、遊技場１の床面９と返却装置ユニット用フロアー６との間の空間に玉返却装置ユニット４に集められた返却玉を各島台２に返却するための補給路７を配置するためである。このように遊技場１の床面９と返却装置ユニット用フロアー６との二重構造の空間内に補給路７を設けることにより、後述する補給路ユニット１２及び補給路７の敷設工事を簡単に行うことができる。なお、返却装置ユニット用フロアー６の端部においては、遊技場１の床面９とスロープ６ａによって接続されており、獲得した景品玉を持ち運ぶ遊技客が躓たりしないように配慮されている。
【００１２】
もちろん、図２に示すように、補給路７を遊技場１の床面９に埋設して設けても良い。この場合には、床面９に少なくとも補給路７を埋設するための溝を形成する工事が必要となるが、遊技場１の床面９の全域を同一高さとすることができるので、遊技客に違和感を与えることがない。
【００１３】
次に、図３乃至図５を参照して返却装置ユニット４の構造について詳細に説明する。返却装置ユニット４は、前記したように複数の玉返却装置５が集約して設けられるものであり、図示の実施例では、楕円形状の台の上部に表裏合わせて８台の玉返却装置５がユニット化されたものとなっており、その楕円形状の台の内部は、まず、図３に示すように、玉返却装置５から返却された玉を貯留する返却玉タンク１０となっている。返却玉タンク１０の底面は、端部から中心に向かって傾斜する集合傾斜面１０ａとされ、その集合傾斜面１０ａの中心に集合穴１１が形成されている。そして、集合穴１１の下部に補給路ユニット１２が設けられている。
【００１４】
上記した返却玉タンク１０は、いわゆるロート状となっており、その返却玉タンク１０の下方には、図４に示すように、その中心に補給路ユニット１２が設けられると共に、該補給路ユニット１２から放射状に各島台２ａ〜２ｈに対応する補給路７ａ〜７ｈが延設されている。図４の補給路７ａ〜７ｈの下流端は、当然のことながら各島台２ａ〜２ｈの島端下部まで延設されている。また、補給路ユニット１２は、図５に示すように、図示しないモータによって回転駆動せしめられる回転台１３と、該回転台１３に載置固定され且つ前記集合穴１１に臨む集合筒１４と、回転台１３に載置固定され且つ前記集合筒１４に接続される分配樋１６と、から構成されている。集合筒１４の外周であって分配樋１６が接続される部分には、供給口１７が形成され、図示しないソレノイドによって開閉する開閉扉１８が供給口１７を開閉するようになっている。また、供給口１７の近傍には、供給口１７から流出する玉数を計数するカウントセンサー１９が設けられている。なお、集合筒１４の内部は、前記集合穴１１から落入する玉を前記供給口１７に導くように誘導傾斜面１５が形成されている。
【００１５】
上記のように構成される補給路ユニット１２は、回転台１３を回転せしめることにより、分配樋１６と選択されたいずれか１つの補給路７とを接続し、その接続した状態で開閉扉１８を開放することにより、供給口１７から玉を流出して選択されたいずれか１つの補給路７に玉を転動せしめ、対応する島台２に玉を補給するようになっている。しかして、回転台１３の回転による分配樋１６と補給路７との選択接続動作は、後に詳述するように各島台２の残留量に応じて決定される優先順位に基づいて管理コンピュータからの指令に基づいて行われるものである。なお、本実施例では、島台２に補給される玉は、補給路７を自然流下して島台２端部まで到達し、その後、島台２の端部で揚送されて島台２の貯留タンク（図示しない）に貯留されるようになっている。
【００１６】
上記した実施例では、玉返却装置ユニット４と各島台２とを結ぶ補給路７が床面９に沿って敷設されるものを示したが、補給路が上部に設けられる形態のものでも良い。このような形態の実施例（以下、第２実施例という）について図６乃至図９を参照して説明する。図６は、第２実施例に係る玉返却装置ユニット２０と遊技場１に設置される複数の島台２との関係を示す概略斜視図であり、図７は、玉返却装置ユニット２０の内部構造を示す概略斜視図であり、図８は、同じく玉返却装置ユニット２０の内部構造を示す概略斜視図であり、図９は、補給路ユニット３３の構造を示す概略斜視図である。
【００１７】
図６において、玉返却装置ユニット２０と各島台２との遊技場１内における配置関係は、第１実施例とほぼ同じであり、また、玉返却装置ユニット２０が複数の玉返却装置２１を一箇所に集約してユニット化した点も第１実施例と同様である。第１実施例と異なる点は、玉返却装置ユニット２０の中央部から玉揚送機２２が立設され、その玉揚送機２２の上部に返却玉タンク２４が載置固定されると共に、その返却玉タンク２４と各島台２の端部とがアーチ状に架設される補給路２３（各補給路を特定する必要があるときには、２３ａ〜２３ｈという符号を使用する）によって接続される点である。そして、上記のように構成される第２実施例に係る玉返却装置ユニット２０から補給路２３を介して各島台２に選択的に玉が返却補給されるものである。
【００１８】
そこで、図７乃至図９を参照して選択的に玉を返却する構成について説明する。この構成において、形状は、第１実施例とかなり相違するが、その基本的な構造は、ほぼ第１実施例と同じである。しかして、玉返却装置ユニット２０の玉返却装置２１に返却された玉は、玉揚送機２２によって揚送されてその玉放出口２２ａから返却玉タンク２４内に貯留される。返却玉タンク２４の底面は、端部から中心に向かって傾斜する集合傾斜面２５とされ、その集合傾斜面２５の中心に集合穴２６が形成されている。そして、集合穴２６の下部に補給路ユニット３３が設けられている。
【００１９】
上記した返却玉タンク２４は、いわゆるロート状となっており、その返却玉タンク２４の下方には、図９に示すように、その中心に補給路ユニット３３が設けられると共に、該補給路ユニット３３から放射状に各島台２ａ〜２ｈに対応する補給路２３ａ〜２３ｈが連通接続される補給路接続部２４ａ〜２４ｈ（図８参照）が形成されている。また、補給路ユニット３３は、図９に示すように、図示しないモータによって回転駆動せしめられる回転台２７と、該回転台２７に載置固定され且つ前記集合穴２６に臨む集合筒２８と、回転台２７に載置固定され且つ前記集合筒２８に接続される分配樋２９と、から構成されている。集合筒２８の外周であって分配樋２９が接続される部分には、供給口３０が形成され、第１実施例と同様に図示しないソレノイドによって開閉する開閉扉３２が供給口３０を開閉するようになっている。また、供給口３０の近傍には、供給口３０から流出する玉数を計数するカウントセンサー３１が設けられている。
【００２０】
上記のように構成される補給路ユニット３３は、回転台２７を回転せしめることにより、分配樋２９と選択されたいずれか１つの補給路２３とを接続し、その接続した状態で図示しない開閉扉３２を開放することにより、供給口３０から玉を流出して選択されたいずれか１つの補給路２３に玉を転動せしめ、対応する島台２に玉を補給するようになっている。しかして、回転台２７の回転による分配樋２９と補給路２３との選択接続動作は、後に詳述するように各島台２の残留量に応じて決定される優先順位に基づいて管理コンピュータからの指令に基づいて行われるものである。なお、本実施例では、島台２に補給される玉は、補給路２３を自然流下して島台２上端部まで到達し、その後、島台２の貯留タンク（図示しない）に貯留されるようになっている。
【００２１】
以上、説明した第１実施例に係る玉返却装置ユニット４及び第２実施例に係る玉返却装置ユニット２０における動作について図１０及び図１１を参照して説明する。図１０及び図１１は、玉返却装置ユニット４，２０の島台２への返却動作を示すフロー図である。図１０において、ステップ１０で補給路ユニット１２，３２の開閉扉１８，３２をＣＬＯＳＥした状態とし、その後、ステップ２０で保有玉率計算処理サブルーチン処理が実行される。
【００２２】
このステップ２０の保有玉率計算処理サブルーチン処理は、図１１に示すように、ステップ２１で島番号ｎの値を「０」に設定した後、ステップ２２で島番号ｎを１ずつ加算し、次いでステップ２３で島番号ｎの値がホール内の島数ｍよりも大きいか否かが判別され、大きくなければ、ステップ２４で島番号ｎの保有玉数Ｐｎが「Ｐｎ＝Ｕｎ＋Ｏｎ＋Ｈｎ−（Ｔｎ＋Ｋｎ）」という演算式に基づいて演算される。ここでＵｎは島番号ｎの営業開始時の島内保有玉数であり、Ｏｎは島番号ｎのアウト玉数（すべてのパチンコ機３のアウト玉数の合算値）であり、Ｈｎは島番号ｎの補給路７，２３によって返却された玉数であり、Ｔｎは島番号ｎにおける玉貸機から貸し出された玉数合計であり、Ｋｎは島番号ｎの賞球数（すべてのパチンコ機の賞球数の合計値）である。そして、上記のような演算式によって島番号ｎにおけるその時点での保有玉数を演算することができる。上記した演算の後、ステップ２５で島番号ｎの保有玉率Ｒｎが「Ｒｎ＝Ｐｎ／Ｓｎ」という演算式に基づいて演算される。ここでＳｎは島番号ｎにおける初期設定基準玉数であり、これは、島台２に設置されるパチンコ機３の機種によって予め定められるものである。例えば、大当り遊技状態時に短時間に多量の景品玉を払い出す遊技内容を有するパチンコ機（属に、１種，３種パチンコ機と言われるもの）が設置される島台２の初期設定基準玉数は、比較的多く設定され、大当り遊技状態があってもあまり多量の景品玉を払い出さない遊技内容を有するパチンコ機（属に、２種パチンコ機といわれるもの）や大当り遊技状態を出現しない遊技内容を有するパチンコ機（属に、普通機と言われるもの）が設置される島台２の初期設定基準玉数は、比較的少なく設定される。上記したステップ２２〜２５の処理は、ステップ２３で「ＹＥＳ」と判別されるまで、即ち、すべての島台２における保有玉率Ｒｎが演算されるまで繰り返し行われ、すべての島台における保有玉率Ｒｎが演算された後には、ステップ２６で全島台２の平均保有玉率ＺＲが「ＺＲ＝（Ｒ１＋Ｒ２＋Ｒ３＋・・・Ｒｍ）／ｍ」という演算式に基づいて演算される。
【００２３】
図１０に戻って、上記した保有玉率計算処理サブルーチンが終了した後、ステップ３０で上記演算結果に基づいて保有玉率最小の島番号ｘが特定されると共に全島台平均保有玉率ＺＲも特定され、その後、ステップ４０で返却玉タンク１０，２４に返却すべき玉が有るか否かが判別され、なければ前記ステップ２０に戻り、あればステップ５０で保有玉率最小の島番号ｘに対応する補給路７，２３に合致するように補給路ユニット１２，３３の回転台１３，２７を回転せしめて開閉扉１８，３２をＯＰＥＮし、ステップ６０でそのＯＰＥＮに伴うカウントセンサー１９，３１の計数値Ｈを含んだ状態での保有玉数Ｐｘを前記ステップ２４と同じ数式によって演算し、ステップ７０で保有玉率Ｒｘを前記ステップ２５と同じ数式によって演算する。その後、ステップ８０で保有玉率Ｒｘが全島台平均保有玉率ＺＲ以上となったか否かが判別され、未だ全島台平均保有玉率ＺＲに達していないと判別された後には、ステップ９０で返却玉タンク１０，２４に返却すべき玉が有るか否かが判別され、あれば前記ステップ６０に戻り、ステップ６０〜９０の処理を実行する。また、ステップ８０で保有玉率Ｒｘが全島台平均保有玉率ＺＲ以上になったと判別されたとき及びステップ９０で返却玉タンク１０，２４に返却すべき玉がないと判別されたときには、ステップ１００で開閉扉１８，３２をＣＬＯＳＥにし、以後、前記ステップ２０に戻って上記した処理を実行する。
【００２４】
以上、実施例に係る玉返却装置ユニット４，２０の構成及び作用について説明してきたが、本実施例によれば、複数の玉返却装置５，２１が遊技場１の一箇所に玉返却装置ユニット４，２０として設けられているので、その場所まで景品玉の入っている玉箱を運搬するという手間はあるが、玉返却装置ユニット４，２０に返却された玉は、常に返却優先順位の高い島台２に対して順次補給されているので、玉返却装置ユニット内４，２０が返却された景品玉によって満杯となることはなく、常時玉返却装置５，２１を使用可能な状態としておくことができ、玉返却装置ユニット４，２０の場所まで運搬された景品玉の返却動作を確実に行うことができ、遊技客に対するサービスの向上を図ることができる。また、返却優先順位が島台２の残留量によって判断されるため、玉が必要とされる島台２の貯留量を優先的に満たすように制御されることとなり、貯留量不足や過剰な貯留量に基づく営業中のトラブルを防止することができる。また、本実施例においては、島台２における初期設定基準玉数Ｓを島台２に設置される機種毎に設定し得るので、遊技場１全体の玉量を最低必要限度に設定してもスムーズな玉循環を確実に行うことができ、結果的に遊技場全体での保有玉量を少なくすることができる。また、図１及び図６に示すように、玉返却装置ユニット４，２０を遊技場１のほぼ中央のオープンスペースに設置することにより、店員の監視も行い易くなり、玉返却装置５，２１に係る不正行為を防止することができる。
【００２５】
なお、上記した実施例では、補給路ユニット１２，３３として回転台１３，２７を回転せしめて１つの分配樋１６，２９を各補給路７，２３に接続するものを示したが、これに限らず、補給路７，２３を選択できる構造であれば、どのような構造で有っても良い。例えば、すべての補給路７ａ〜７ｈ，２３ａ〜２３ｈを集合筒１４，２８に接続すると共にその接続部分に供給口と開閉扉とを個々に設け、指示された開閉扉を駆動制御することにより、補給路を選択しても良い。
【００２６】
【発明の効果】
以上、説明したところから明らかなように、本発明においては、複数の玉返却装置が遊技場の一箇所に玉返却装置ユニットとして設けられているので、その場所まで景品玉の入っている玉箱を運搬するという手間はあるが、玉返却装置ユニットに返却された玉は、常に返却優先順位の高い島台に対して順次補給されているので、玉返却装置ユニット内が返却された景品玉によって満杯となることはなく、常時玉返却装置を使用可能な状態としておくことができ、玉返却装置ユニットの場所まで運搬された景品玉の返却動作を確実に行うことができ、遊技客に対するサービスの向上を図ることができる。また、返却優先順位が島台の保有玉率によって判断されるため、島台に設置される機種を考慮しながら玉が必要とされる島台の貯留量を優先的に満たすように制御されることとなり、貯留量不足や過剰な貯留量に基づく営業中のトラブルを防止することができる。更に、島台における初期設定基準玉数を島台に設置される機種毎に設定し得るので、遊技場全体の玉量を最低必要限度に設定してもスムーズな玉循環を確実に行うことができ、結果的に遊技場全体での保有玉量を少なくすることができる。
【図面の簡単な説明】
【図１】  玉返却装置ユニットと遊技場に設置される複数の島台との関係を示す概略斜視図である。
【図２】  玉返却装置ユニットと島台とを結ぶ補給路の形態が図１と相違する実施例を示す玉返却装置ユニットと島台との関係を示す概略斜視図である。
【図３】  玉返却装置ユニットの内部構造を示す概略斜視図である。
【図４】  同じく玉返却装置ユニットの内部構造を示す概略斜視図である。
【図５】  補給路ユニット１２の構造を示す概略斜視図である。
【図６】  第２実施例に係る玉返却装置ユニットと遊技場に設置される複数の島台との関係を示す概略斜視図である。
【図７】  玉返却装置ユニットの内部構造を示す概略斜視図である。
【図８】  同じく玉返却装置ユニットの内部構造を示す概略斜視図である。
【図９】  補給路ユニットの構造を示す概略斜視図である。
【図１０】  玉返却装置ユニットの島台への返却動作を示すフロー図である。
【図１１】  玉返却装置ユニットの島台への返却動作を示すフロー図である。
【符号の説明】
１  遊技場
２，２ａ〜２ｈ  島台
３  パチンコ機
４  玉返却装置ユニット
５  玉返却装置
６  返却装置ユニット用フロアー
６ａ  スロープ
７，７ａ〜７ｈ  補給路
９  床面
１０  返却玉タンク
１２  補給路ユニット
１８  開閉扉
１９  カウントセンサー
２０  玉返却装置ユニット
２１  玉返却装置
２２  玉揚送機
２３，２３ａ〜２３ｈ  補給路
２４  返却玉タンク
３１  カウントセンサー
３２  開閉扉
３３  補給路ユニット
【図１】
0003896596.tif 000002
【図２】
0003896596.tif 000003
【図３】
0003896596.tif 000004
【図４】
0003896596.tif 000005
【図５】
0003896596.tif 000006
【図６】
0003896596.tif 000007
【図７】
0003896596.tif 000008
【図８】
0003896596.tif 000009
【図９】
0003896596.tif 000010
【図１０】
0003896596.tif 000011
【図１１】
0003896596.tif 000012